(57)【要約】    【課題】ケーブル側端子の平板部に力を加えることなく、ケーブル側端子の一側が扁平しているケーブル締付部に対してひねり力を加えることが容易にできると同時に、前後方向又は左右方向への曲げ力を加えることも容易にできて、作業における感電事故を防止できる、ケーブル側端子用姿勢矯正レンチ。    【解決手段】柄部分１０とヘッド部分１１を有する一体形状である。全体が硬質で剛性を有する熱硬化性合成樹脂からなる。ヘッド部分１１の一側に凹部１２を有するとともにヘッド部分１１の他側に前記凹部１２の一側に連通する矩形孔１３を有し、大電流用ケーブルの端部に固着されたケーブル側端子の平板部１ａを凹部１２より差込んで矩形孔１３に挿通していくことにより、ケーブル側端子の一側が扁平しているケーブル締付部１ｂを凹部１２にほぼぴったり収容できる。【選択図】  図２
0003106339.tif 000002
【実用新案登録請求の範囲】
【請求項１】
柄部分とヘッド部分を有する一体形状であり全体が硬質で剛性を有する熱硬化性合成樹脂からなり、ヘッド部分の一側に凹部を有するとともにヘッド部分の他側に前記凹部の一側に連通する矩形孔を有し、大電流用ケーブルの端部に固着されたケーブル側端子の平板部を前記凹部より差込んで矩形孔に挿通していくことにより、ケーブル側端子の一側が扁平しているケーブル締付部を前記凹部にほぼぴったり収容できるように構成されていることを特徴とするケーブル側端子用姿勢矯正レンチ。
【考案の詳細な説明】
【技術分野】
【０００１】
本願考案は、大電流用ケーブルの端部に固着されたケーブル側端子を電気機器に設けられた機器側端子に対してボルトにより締付固定するために、ケーブル側端子のケーブル締付部に対してひねり力を加えることができるとともに、前後方向又は左右方向の曲げ力を加えることができる、ケーブル側端子用姿勢矯正レンチに関する。
【背景技術】
【０００２】
図５(a)は、大電流用ケーブルの端部に固着されたケーブル側端子の斜視図を示す。
図５(b)は図５(a)におけるＢ−Ｂ断面図を示す。図５(c)は図３(a)におけるＣ−Ｃ断面図を示す。
図５(a)に示すように、ケーブル側端子１は、平板部１ａとケーブル締付部１ｂからなる。ケーブル側端子１は、例えば厚さ４〜６ｍｍの銅板を銀メッキしてなる。平板部１ａは２つのボルト通し孔２を有している。ケーブル締付部１ｂは、平板部１ａの幅中央に対応して端面が突き合わさるリング状にプレス成形されていて銅線の束であるケーブル端部３を通してリングの突き合わせ端部を大きく陥没させるプレス加工が行なわれてケーブル３の端部を締め付けている。ケーブル締付部１ｂは、陥没凹部１ｂ’がある側が扁平になり反対側は円筒面を保つ形状である。ケーブル端部３は、被覆ゴム４の端部を必要長さで切除することにより露出している。２段筒状に成形されたケーブル締付部絶縁カバー５は、ケーブル締付部１ｂにケーブル端部３を通す前に、被覆ゴム４に通されていて、ケーブル締付部１ｂでケーブル端部３を閉め付けた後にケーブル締付部１ｂを隠蔽するようにスライドされる。
上記のように大電流用ケーブルの端部に固着されたケーブル側端子１を、電気機器６に設けられた機器側端子７に対して方向を合わせて密着させてボルト８（ロックナット付きが好ましい）により締付固定する際には、ケーブル側端子１の平板部１ａを機器側端子７に対して方向と位置を合わせて平行に重ねるようにしないと該ボルト８による締付固定が難しい。
ケーブル側端子１の平板部１ａと機器側端子７とが平行でないときは、従来は、スパナのような工具を用いてケーブル締付部１ｂを挟持してひねりを加えることにより、ケーブル締付部１ｂの外側のケーブル端部３を追随変形させて、平板部１ａを電気機器６に設けられた機器側端子７の面に平行になるように合わせていた。
又、平板部１ａに開けた２つのボルト通し孔２の配列方向と電気機器６に設けられた機器側端子７の２つのねじ孔７ａの配列方向に角度があるときには、該角度を解消するようにケーブル端部３を首振りする必要があるが、前記スパナのような工具ではこの作業ができず、別途にプライヤーのような工具を用いてケーブル３の端部の首振りの曲げを行っていた。
しかし、ケーブル締付部１ｂにひねりを加えることと、平板部１ａの向きを直すことを同時に行うことが難しかった。
ケーブル端部３にひねりと曲げを加える場合、ケーブル側端子１の平板部１ａを掴んで、該平板部１aを機器側端子７に対して方向と位置と平行度を合わせることはできない。ケーブル締付部１ｂを保持してケーブル締付部１ｂの外側近傍のケーブル端部３を追随変形させなくてはならないから作業が難しく力を必要としていた。
ケーブル側端子１の平板部１ａを掴んでケーブル端部３にひねりと曲げを加えることができない理由は、平板部１ａを掴んでそのような作業を行おうとすると、平板部１ａの平面精度がなくなり、機器側端子取付け座との密着面が小さくなり通電性が悪くなって異常発熱・ショート事故に繋がるからである。
さらに、上述したスパナのような工具は、絶縁性有機被膜がコーティングしてあるだけなので、被膜に傷がつくと、通電して作業を行うときには感電する惧れがあった。
この種の作業を行う電気配線工事の作業者にとっては、大電流用ケーブルの端部に固着されたケーブル側端子１の平板部１ａを掴まないで、ケーブル締付部１ｂを挟持して、該ケーブル締付部１ｂに対してひねり力及び三次元方向の曲げ力を容易に加えることができる使い勝手性が良いのレンチが提供されることを要望している。合わせて、感電する惧れがないレンチが提供されることを要望している。
【０００３】
【特許文献１】特開２００４−１１５８号公報・・・ロックレンチ
【特許文献２】特開２００３−５３６７６号公報・・・プライヤー
【特許文献３】特開平１０−１８０６４４号公報
【考案の開示】
【考案が解決しようとする課題】
【０００４】
本願考案は、上述した点に鑑み案出したもので、大電流用ケーブルの端部に固着されたケーブル側端子を電気機器に設けられた機器側端子へボルトにより締付固定する際に、ケーブル側端子を機器側端子のケーブル固着部に対して無理な取付け姿勢を矯正するため、大電流用ケーブルの端部に固着されたケーブル側端子の平板部に力を加えることなく、ケーブル側端子の一側が扁平しているケーブル締付部に対してひねり力を加えることが容易にできると同時に、前後方向又は左右方向への曲げ力を加えることも容易にできて、使い勝手性が良く、作業における感電事故を恒久的に防止でき、もって、ケーブル側端子を電気機器に設けられた機器側端子へボルトにより締付固定する作業が容易かつ安心して行える、ケーブル側端子用姿勢矯正レンチを提供することを目的としている。
【課題を解決するための手段】
【０００５】
［請求項１］に記載の考案は、柄部分とヘッド部分を有し全体が硬質で剛性を有する熱硬化性合成樹脂からなり、ヘッド部分の一側に凹部を有するとともにヘッド部分の他側に前記凹部の一側に連通する矩形孔を有し、矩形孔は、大電流用ケーブルの端部に固着されたケーブル側端子の平板部を前記凹部より差込んで矩形孔に通していき、ケーブル側端子の一側が扁平しているケーブル締付部を前記凹部にほぼぴったり収容できることを特徴とするケーブル側端子用姿勢矯正レンチである。
【考案の効果】
【０００６】
本願考案のケーブル側端子用姿勢矯正レンチによれば、
大電流用ケーブルの端部に固着されたケーブル側端子を電気機器に設けられた機器側端子へボルトにより締付固定する際に、ケーブル側端子を機器側端子のケーブル固着部に対して無理な取付け姿勢を矯正するため、
(1)大電流用ケーブルの端部に固着されたケーブル側端子の平板部に力を加えることなく、ケーブル締付部の外側近傍のケーブルの端部がひねり変形を起こすように、ケーブル側端子のケーブル締付部に対してひねりを加えることが容易にできる。
(2)大電流用ケーブルの端部に固着されたケーブル側端子の平板部に力を加えることなく、ケーブル締付部の外側近傍のケーブルの端部が曲げ変形を起こすことによりケーブル側端子の平板部の平面内に該平板部が大電流用ケーブルの中心線に対して方向が変わるように、ケーブル側端子のケーブル締付部に対して左右方向への曲げ力又は前後方向への曲げ力を加えることが容易に行える。
(3) 前記(1)のひねりを加えることと、前記(2)のひねりを加えることとを同時に行えるので使い勝手性が良く、作業を容易に行えて、ケーブル側端子の平板部を機器側端子に対して方向と位置を合わせて平行に重ね合わせる調整が容易にできて、ボルトによる締付固定が容易になる。
(4)作業における感電事故を恒久的に防止でき作業を安心して行える。
【考案を実施するための最良の形態】
【０００７】
本願考案のケーブル側端子用姿勢矯正レンチについて、第一の実施の形態を図面を参照して説明する。
図１(a)はケーブル側端子用姿勢矯正レンチの正面図を示し、図１(b)は同レンチの一部を切り欠き断面した側面図を示し、図１(c)は同レンチの背面図を示す。
ケーブル側端子用姿勢矯正レンチＷ1は、全体が硬質で剛性を有する熱硬化性合成樹脂からなる。該姿勢矯正レンチＷ1は、柄部分１０とヘッド部分１１を有し全体が硬質で剛性を有する熱硬化性合成樹脂からなる。柄部分１０は、握り易いように円角となっている。ヘッド部分１１は、柄部分１０の先端よりテーパー状に大きくなってから略直方体に大きくなっていて、一側に凹部１２を有するとともにヘッド部分の他側に前記凹部１２の一側に連通する矩形孔１３を有している。矩形孔１３は、図に示すようにヘッド部分１１の先端面寄りに有しているのが好ましいが、基端寄りに有していても良い。なお、凹部１２にケーブル締付部１bを突き当たるまで深く収容したときに、ケーブル締付部１bから平板部１ａに移行する部分の両側のリブ部分１ｃが干渉しないように、矩形孔１２の長辺の両端に逃げ空間１４を設けることが好ましい。しかし、矩形孔１３の小辺の寸法を大きくすると、逃げ空間１４は必要なくなる。
大電流用ケーブルの端部に固着されたケーブル側端子１の平板部１ａを凹部１２より差込んで矩形孔１３に通していくと、ケーブル側端子１のケーブル締付部１bを凹部１２に収容できる。ケーブル締付部１ｂは、陥没凹部１ｂ’がある側が扁平になり反対側は円筒面を保つ形状である。凹部１２は、該ケーブル締付部１bをほぼぴったり収容できる大きさである。
従って、図２に示すように、大電流用ケーブルの端部に固着されたケーブル側端子１の平板部１ａを凹部１２より差込んで矩形孔１３に通して、ケーブル側端子１のケーブル締付部１bを凹部１２に嵌入して、柄部分１０を大電流用ケーブルの中心線の周りに時計周り又は反時計回りに旋回すれば、ケーブル側端子１の平板部１ａに力を加えることなく、ケーブル締付部１ｂの外側近傍のケーブル端部３をひねりを加えることができる。そして、柄部分１０を矢印Ｍの方向に振ればケーブル端部３を矢印ｍの方向に曲げることができ、又、柄部分１０を矢印Ｎの方向に振ればケーブル端部３を矢印ｎの方向に曲げることができる。そうして、柄部分１０を矢印Ｍ又はＮの方向に振りながら、大電流用ケーブルの中心線の周りに時計周り又は反時計回りに旋回することができる。
【０００８】
本願考案のケーブル側端子用姿勢矯正レンチについて、第二の実施の形態を図面を参照して説明する。
図３(a)はケーブル側端子用姿勢矯正レンチの正面図を示し、図３(b)は図３(a)におけるIIIb−IIIb断面図を示し、図３(c)は同レンチの背面図を示す。
この実施の形態のケーブル側端子用姿勢矯正レンチＷ2は、ヘッド部分１１に形成した凹部１２と矩形孔１３が、図１に示すケーブル側端子用姿勢矯正レンチＷ1とは９０度向きが異なっていることが、唯一の相違点である。
従って、図４に示すように、大電流用ケーブルの端部に固着されたケーブル側端子１の平板部１ａを凹部１２より差込んで矩形孔１３に通して、ケーブル側端子１のケーブル締付部１bを凹部１２に嵌入したとき、柄部分１０の方向が、大電流用ケーブルの中心線に対して直角方向でありかつ周り平板部１ａの平面方向に一致する。
図４に示すように、柄部分１０を大電流用ケーブルの中心線の周りに時計周り又は反時計回りに旋回すれば、ケーブル側端子１の平板部１ａに力を加えることなく、ケーブル締付部１ｂの外側のケーブル端部３をひねりを加えることができる点では、図１に示すケーブル側端子用姿勢矯正レンチＷ1と同一である。そして、柄部分１０を矢印Ｐの方向に振ればケーブル端部３を矢印ｐの方向に曲げることができ、又、柄部分１０を矢印Ｑの方向に振ればケーブル端部３を矢印ｑの方向に曲げることができる。そうして、柄部分１０を矢印Ｐ又はＱの方向に振りながら、大電流用ケーブルの中心線の周りに時計周り又は反時計回りに旋回することができる。
【０００９】
図１に示すケーブル側端子用姿勢矯正レンチＷ1と図３に示すケーブル側端子用姿勢矯正レンチＷ2の一方又は両方を用いれば、図５(a)に示すように、ケーブル側端子１の平板部１ａを機器側端子７に対して方向と位置を合わせて平行に重ね合わせる調整が容易にできて、ボルト８による締付固定が容易になる。
【図面の簡単な説明】
【００１０】
【図１】本願考案の第一の実施の形態にかかるケーブル側端子用姿勢矯正レンチを示すものであって、図３(a)はケーブル側端子用姿勢矯正レンチの正面図を示し、図３(b)は図３(a)におけるIIIb−IIIb断面図を示し、図３(c)は同レンチの背面図を示す。
【図２】本願考案の第一の実施の形態にかかるケーブル側端子用姿勢矯正レンチを使用してケーブル側端子の姿勢矯正作業を行う状態を示す要部側面図を示す。
【図３】本願考案の第二の実施の形態にかかるケーブル側端子用姿勢矯正レンチを示すものであって、図３(a)はケーブル側端子用姿勢矯正レンチの正面図を示し、図３(b)は図３(a)におけるIIIb−IIIb断面図を示し、図３(c)は同レンチの背面図を示す。
【図４】本願考案の第二の実施の形態にかかるケーブル側端子用姿勢矯正レンチを使用してケーブル側端子の姿勢矯正作業を行う状態を示す要部斜視図を示す。
【図５】図５(a)は、大電流用ケーブルの端部に固着されたケーブル側端子の斜視図を示す。図５(b)は図５(a)におけるＢ−Ｂ断面図を示す。図５(c)は図３(a)におけるＣ−Ｃ断面図を示す。
【符号の説明】
【００１１】
１…ケーブル側端子、１ａ…平板部、１ｂ…ケーブル締付部、３…ケーブル端部、
Ｗ1，Ｗ2…ケーブル側端子用姿勢矯正レンチ、１０…柄部分、１１…ヘッド部分、
１２…凹部、１３…矩形孔、１４…逃げ空間、
【図１】
0003106339.tif 000003
【図２】
0003106339.tif 000004
【図３】
0003106339.tif 000005
【図４】
0003106339.tif 000006
【図５】
0003106339.tif 000007